(57)【要約】      （修正有）【課題】衝撃が緩和されて負傷や破損の可能性が低減され、小型軽量化された機器本体の特長を生かすことのできる遮光フードを提供する。【解決手段】液晶モニタ用遮光フードは、柔らかくて軽い紙、布、皮革、ゴムや軟質プラスチック等の素材を主体に構成し、薄型軽量化が進んだ液晶モニタ付きの機器本体の特徴を生かすべく、軽くて、かさ張らずそして眼や眼鏡が当たった場合には遮光フード自体が変形する。【選択図】図６
2007166566.tif 000002
【特許請求の範囲】
【請求項１】
デジタルカメラ，ビデオカメラやゲーム機器などの液晶モニタ用遮光フードで金属や硬質プラスチックなどの硬質部材は使用せず，柔軟で薄い紙，布，皮革，ゴムや軟質プラスチックなどの素材で構成し，使用中に顔や眼さらに眼鏡等がフードに当たった場合，フード自体が変形することにより衝撃を緩和し、負傷や破損の可能性を低減することを特徴とする液晶モニタ用遮光フード．
【請求項２】
薄型軽量化が進んだデジタルカメラ，ビデオカメラやゲーム機器などの特徴を損なわぬように極めて薄く折り畳めることを特徴とする液晶モニタ用遮光フード．
【発明の詳細な説明】
【技術分野】
【０００１】本発明はデジタルカメラ，ビデオカメラやゲーム機器などの液晶モニタ用の遮光フードに関し，人体や眼鏡，機器本体にも，より安全で薄く折り畳める遮光フードに関する．
【背景技術】
【０００２】デジタルカメラ，ビデオカメラやゲーム機器などの液晶モニタを明るい外光から遮蔽するために多くの遮光フードがある．これらは金属や硬質プラスチック等の部品から構成されている．
【特許文献１】  特開２００３−１４０２２８
【特許文献２】  特開２００５−２２１９４８
【発明の開示】
【発明が解決しようとする課題】
【０００３】デジタルカメラ，ビデオカメラやゲーム機器などの小型化，軽量化そして操作の簡易化は著しく，その結果，使用者の年代が幼児から高齢者層までに拡大している．充分な注意力の無い幼児や高齢者にとって，硬い素材で製造された従来の遮光フードを使用時に誤って眼や眼鏡に当てると怪我や破損の危険性が考えられる．
また，薄型軽量化が進む機器本体において，液晶モニタのサイズは画像の視認性を向上させるために拡大化し，本体サイズの５０％を越す製品が少なくない．従来の構成の遮光フードはそのサイズや重量が，薄型軽量化された機器本体にとって，過大で過重という問題が生じている．【０００４】本発明は以上の問題点を鑑みてなされたものであり，柔らかく軽い素材で構成されていることにより，充分な注意力の無い幼児や高齢者の眼や眼鏡が遮光フードに当たっても，フード自体が変形することにより，衝撃が緩和されて負傷や破損の可能性が低減される．また，その軽さと薄さが小型軽量化された機器本体の特徴を生かしたまま使用できる遮光フードを提供することを目的とする．
【課題を解決するための手段】
【０００５】上記課題を解決するため，本発明に係わる液晶モニタ用遮光フードは，金属や硬質プラスチックなどの部材は使用せず，柔らかくて，薄い紙，布，皮革，ゴムやプラスチックシートを主体に構成し，機器本体への装着はマジックテープや両面テープなどの剥離可能な接着材，粘着材を使用し，着脱，交換，収納を容易ならしめる．上記遮光フードは上面板と両側面板および底面板が使用時には断面コあるいはロ字状になるように形成し，不使用時には三つ折りあるいは四つ折り状に折り畳むと薄くなり，携帯時もかさ張らず，薄型軽量化した機器本体の特徴を損なわない．
【発明の効果】
【０００６】本発明に係る液晶モニタ用遮光フードによれば，これを構成する素材が柔軟であるため，充分な注意力を払えない幼児や高齢者等が，顔面を近づけ過ぎて，眼や眼鏡をフードに当てても，フード自体が変形することにより衝撃が緩和されて負傷や破損する可能性が低減される．【０００７】また本発明に係る液晶モニタ用遮光フードによれば，これを構成する素材が薄くて軽いため，薄型軽量化された機器本体の特徴を損なわない．【０００８】また本発明に係る液晶モニタ用遮光フードによれば，構造が単純であるため，工業化も容易であり，製造コストも低く低価格で市場に提供可能である．【０００９】また本発明に係る液晶モニタ用遮光フードによれば，不使用時に折り畳むと，液晶モニタのガラス面全体を被覆することにより，保護カバーの機能を有する．
【発明を実施するための最良の形態】
【００１０】以下，本発明の実施形態について，デジタルカメラを代表例として図面を参照しつつ詳細に説明する．図６はデジタルカメラＤに本発明の液晶モニタ用遮光フードＨを装着した使用形態の斜視図，図９は液晶モニタ用遮光フードＨを折り畳んだ非使用時形態の斜視図である．【００１１】図８はデジタルカメラの裏面の斜視図であり，カメラ本体Ｄにマジックテープの雌雄の片側１１と３３を両面テープ等で粘着する．側面板支持ガイド４１と４２，５１と５２を液晶モニタの側面に沿って側面板４，５を挟める位置にそれぞれ両面テープ等で粘着する．【００１２】図１は本発明の液晶モニタ遮光フードＨの斜視図であり，接着部１にマジックテープの雌雄の片側を貼付し，１１と合わせて，カメラに装着する．側面板４と５を支持ガイド４１と４２との間，５１と５２との間に沿ってそれぞれを挿入すれば，上面板２とでコ字状の遮光フードが形成される．【００１３】非使用時は側面板４と５を折り，上面板２と三つ折りにして，接着部３と３３を合わせると図９に示す形態となる．【００１４】図４は側面図であり，図５は左右の側面板を折り畳んだ側面図である．
【産業上の利用可能性】
【００１５】液晶の技術進歩は顕著であり，多くの家庭用品ばかりでなく，産業機器の多くに採用される可能性は極めて高い．そして，その画面サイズが大きくなればなるほど，周囲の外光の影響を受けることにより，その画像の視認性が劣化することが充分に考えられ，そのための遮光フードの利用可能性は極めて高い．【００１６】現在販売されている液晶モニタ付きの機器でも，ビデオカメラ，ゲーム機，携帯テレビ，携帯電話やナビゲータなどの機器にも利用可能である．
【図面の簡単な説明】
【図１】本発明の遮光フードの斜視図である．
【図２】正面図である．
【図３】折り畳んだ状態の正面図である．
【図４】側面図である．
【図５】折り畳んだ状態の側面図である．
【図６】本発明の実施状態におけるデジタルカメラへの装着状態を示す斜視図である．
【図７】正面図である．
【図８】本発明の遮光フードを着脱状態のデジタルカメラの裏面の斜視図である．
【図９】本発明の実施状態におけるデジタルカメラへ折り畳んで装着した状態を示す斜視図である．
【符号の説明】
Ｈ    遮光フード本体
Ｄ    デジタルカメラ
Ｐ    液晶モニタ
１    接着部
２    上面板
３    接着部
４    側面板
５    側面板
１１  接着材
３３  接着材
４１  側面板支持ガイド
４２  側面板支持ガイド
５１  側面板支持ガイド
５２  側面板支持ガイド
【図１】
2007166566.tif 000003
【図２】
2007166566.tif 000004
【図３】
2007166566.tif 000005
【図４】
2007166566.tif 000006
【図５】
2007166566.tif 000007
【図６】
2007166566.tif 000008
【図７】
2007166566.tif 000009
【図８】
2007166566.tif 000010
【図９】
2007166566.tif 000011